【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
支払いを受けて、商品を販売するかまたはサービスを提供して、おつりを支払う機器を制御するコンピュータに、
現金または電子マネーで支払うおつりの額を表示する第１の表示ステップと、
前記第１の表示ステップにおいておつりの額が表示されている場合、おつりを電子マネーで受け取るかまたはおつりを現金で受け取るかのいずれかの利用者の指示を取得する第１の取得ステップと、
前記第１の取得ステップにおいておつりの電子マネーでの受け取りの指示が取得された場合、前記おつりとして支払う前記電子マネーを電子マネー機能を有する端末に入金する入金ステップと
を含む処理を行わせるプログラム。
【請求項２】
請求項１に記載のプログラムにおいて、
前記第１の取得ステップにおいておつりの現金での受け取りの指示が取得された場合、前記おつりとして支払う現金を排出させる排出ステップをさらに含む処理をコンピュータに行わせる
プログラム。
【請求項３】
請求項１に記載のプログラムにおいて、
前記第１の取得ステップにおいておつりの現金での受け取りの指示が取得された場合、おつりとして支払う額面毎の紙幣または硬貨の枚数を表示する第２の表示ステップと、
前記第２の表示ステップにおいておつりとして支払う額面毎の紙幣または硬貨の枚数が表示されている場合、おつりを電子マネーで受け取るかまたはおつりを現金で受け取るかのいずれかの利用者の指示を取得する第２の取得ステップと
をさらに含み、
前記第２の取得ステップにおいておつりの電子マネーでの受け取りの指示が取得された場合、前記入金ステップで、前記おつりとして支払う前記電子マネーが前記端末に入金される
処理をコンピュータに行わせるプログラム。
【請求項４】
請求項１に記載のプログラムにおいて、
前記第１の取得ステップにおいておつりの現金での受け取りの指示が取得された場合、おつりとして支払う額面毎の紙幣または硬貨の枚数を表示する第２の表示ステップと、
前記第２の表示ステップにおいておつりとして支払う額面毎の紙幣または硬貨の枚数が表示されている場合、おつりを電子マネーで受け取るかまたはおつりを現金で受け取るかのいずれかの利用者の指示を取得する第２の取得ステップと、
前記第２の取得ステップにおいておつりの電子マネーでの受け取りの指示が取得された場合、現金で支払う額と電子マネーで支払う額とを表示する第３の表示ステップと、
前記第３の表示ステップにおいて現金で支払う額と電子マネーで支払う額とが表示されている場合、おつりを電子マネーで受け取るかまたはおつりを現金および電子マネーで受け取るかのいずれかの利用者の指示を取得する第３の取得ステップと
をさらに含み、
前記入金ステップで、前記第３の取得ステップにおいておつりの電子マネーでの受け取りの指示が取得された場合、前記おつりとして支払う前記電子マネーが前記端末に入金され、おつりの現金および電子マネーでの受け取りの指示が取得された場合、電子マネーで支払う額の前記電子マネーが前記端末に入金される
処理をコンピュータに行わせるプログラム。
【請求項５】
請求項４に記載のプログラムにおいて、
前記第３の取得ステップで、おつりを電子マネーで受け取るか、おつりを現金および電子マネーで受け取るか、または現金で支払う額若しくは電子マネーで支払う額を変更するかのいずれかの利用者の指示を取得し、
前記第３の取得ステップにおいて現金で支払う額または電子マネーで支払う額の変更の指示が取得された場合、現金で支払う額または電子マネーで支払う額を変更する変更ステップをさらに含む
処理をコンピュータに行わせるプログラム。
【請求項６】
請求項１に記載のプログラムにおいて、
前記第１の表示ステップでは、前記おつりとして支払う前記電子マネーを前記端末に入金した場合に取得できる電子マネーに関する広告が表示される
処理をコンピュータに行わせるプログラム。
【請求項７】
請求項１に記載のプログラムにおいて、
前記第１の取得ステップにおいておつりの現金での受け取りが前記利用者から指示された場合、前記おつりの支払いに必要な紙幣または硬貨の枚数が予め定めた閾値以上であるか否かを判定する判定ステップと、
前記おつりの支払いに必要な紙幣または硬貨の枚数が前記閾値以上であると判定された場合、前記電子マネーでの支払いを選択する選択ステップと
をさらに含み、
前記電子マネーでの支払いが選択された場合、前記入金ステップで、前記おつりとして支払う前記電子マネーが前記端末に入金される
処理をコンピュータに行わせるプログラム。
【請求項８】
請求項１に記載のプログラムにおいて、
前記商品または前記サービスに応じたポイントを付与する付与ステップをさらに含む処理をコンピュータに行わせる
プログラム。
【請求項９】
請求項１に記載のプログラムにおいて、
前記第１の取得ステップにおいておつりの現金での受け取りが前記利用者から指示された場合、現在時刻が予め定めた時間帯に入るか否かを判定する判定ステップと、
現在時刻が前記時間帯に入ると判定された場合、前記電子マネーでの支払いを選択する選択ステップと
をさらに含み、
前記電子マネーでの支払いが選択された場合、前記入金ステップで、前記おつりとして支払う前記電子マネーが前記端末に入金される
処理をコンピュータに行わせるプログラム。
【請求項１０】
請求項１に記載のプログラムにおいて、
前記第１の表示ステップでは、おつりとして支払う額面毎の紙幣または硬貨の枚数が表示される処理をコンピュータに行わせるプログラム。
【請求項１１】
支払いを受けて、商品を販売するかまたはサービスを提供して、おつりを支払う機器において、
現金または電子マネーで支払うおつりの額の表示手段への表示を制御する表示制御手段と、
前記表示手段におつりの額が表示されている場合、おつりを電子マネーで受け取るかまたはおつりを現金で受け取るかのいずれかの利用者の指示を取得する取得手段と、
前記取得手段によりおつりの電子マネーでの受け取りの指示が取得された場合、前記おつりとして支払う前記電子マネーを電子マネー機能を有する端末に入金する入金手段と
を備える機器。
【請求項１２】
支払いを受けて、商品を販売するかまたはサービスを提供して、おつりを支払う機器を制御する制御方法において、
現金または電子マネーで支払うおつりの額を表示する表示ステップと、
前記表示ステップにおいておつりの額が表示されている場合、おつりを電子マネーで受け取るかまたはおつりを現金で受け取るかのいずれかの利用者の指示を取得する取得ステップと、
前記取得ステップにおいておつりの電子マネーでの受け取りの指示が取得された場合、前記おつりとして支払う前記電子マネーを電子マネー機能を有する端末に入金する入金ステップと
を含む制御方法。
【手続補正２】
【補正対象書類名】明細書
【補正対象項目名】発明の名称
【補正方法】変更
【補正の内容】
【発明の名称】プログラム、機器、および制御方法
【手続補正３】
【補正対象書類名】明細書
【補正対象項目名】０００１
【補正方法】変更
【補正の内容】
【０００１】
本発明はプログラム、機器、および制御方法に関し、特に、おつりを現金または電子マネーで支払えるようにしたプログラム、機器、および制御方法に関する。
【手続補正４】
【補正対象書類名】明細書
【補正対象項目名】０００９
【補正方法】変更
【補正の内容】
【０００９】
本発明は、このような状況に鑑みてなされたものであり、利用者が、電子マネーまたは現金でのおつりの支払いを選択することができるようにするものである。
【手続補正５】
【補正対象書類名】明細書
【補正対象項目名】００１０
【補正方法】変更
【補正の内容】
【００１０】
本発明の一側面のプログラムは、支払いを受けて、商品を販売するかまたはサービスを提供して、おつりを支払う機器を制御するコンピュータに、現金または電子マネーで支払うおつりの額を表示する第１の表示ステップと、前記第１の表示ステップにおいておつりの額が表示されている場合、おつりを電子マネーで受け取るかまたはおつりを現金で受け取るかのいずれかの利用者の指示を取得する第１の取得ステップと、前記第１の取得ステップにおいておつりの電子マネーでの受け取りの指示が取得された場合、前記おつりとして支払う前記電子マネーを電子マネー機能を有する端末に入金する入金ステップとを含む処理を行わせる。
【手続補正６】
【補正対象書類名】明細書
【補正対象項目名】００１１
【補正方法】変更
【補正の内容】
【００１１】
前記第１の取得ステップにおいておつりの現金での受け取りの指示が取得された場合、前記おつりとして支払う現金を排出させる排出ステップをさらに含む処理をコンピュータに行わせることもできる。
【手続補正７】
【補正対象書類名】明細書
【補正対象項目名】００１２
【補正方法】変更
【補正の内容】
【００１２】
前記第１の取得ステップにおいておつりの現金での受け取りの指示が取得された場合、おつりとして支払う額面毎の紙幣または硬貨の枚数を表示する第２の表示ステップと、前記第２の表示ステップにおいておつりとして支払う額面毎の紙幣または硬貨の枚数が表示されている場合、おつりを電子マネーで受け取るかまたはおつりを現金で受け取るかのいずれかの利用者の指示を取得する第２の取得ステップとをさらに含み、前記第２の取得ステップにおいておつりの電子マネーでの受け取りの指示が取得された場合、前記入金ステップで、前記おつりとして支払う前記電子マネーが前記端末に入金される処理をコンピュータに行わせることもできる。
【手続補正８】
【補正対象書類名】明細書
【補正対象項目名】００１３
【補正方法】変更
【補正の内容】
【００１３】
前記第１の取得ステップにおいておつりの現金での受け取りの指示が取得された場合、おつりとして支払う額面毎の紙幣または硬貨の枚数を表示する第２の表示ステップと、前記第２の表示ステップにおいておつりとして支払う額面毎の紙幣または硬貨の枚数が表示されている場合、おつりを電子マネーで受け取るかまたはおつりを現金で受け取るかのいずれかの利用者の指示を取得する第２の取得ステップと、前記第２の取得ステップにおいておつりの電子マネーでの受け取りの指示が取得された場合、現金で支払う額と電子マネーで支払う額とを表示する第３の表示ステップと、前記第３の表示ステップにおいて現金で支払う額と電子マネーで支払う額とが表示されている場合、おつりを電子マネーで受け取るかまたはおつりを現金および電子マネーで受け取るかのいずれかの利用者の指示を取得する第３の取得ステップとをさらに含み、前記入金ステップで、前記第３の取得ステップにおいておつりの電子マネーでの受け取りの指示が取得された場合、前記おつりとして支払う前記電子マネーが前記端末に入金され、おつりの現金および電子マネーでの受け取りの指示が取得された場合、電子マネーで支払う額の前記電子マネーが前記端末に入金される処理をコンピュータに行わせることもできる。
【手続補正９】
【補正対象書類名】明細書
【補正対象項目名】００１４
【補正方法】変更
【補正の内容】
【００１４】
前記第３の取得ステップで、おつりを電子マネーで受け取るか、おつりを現金および電子マネーで受け取るか、または現金で支払う額若しくは電子マネーで支払う額を変更するかのいずれかの利用者の指示を取得し、前記第３の取得ステップにおいて現金で支払う額または電子マネーで支払う額の変更の指示が取得された場合、現金で支払う額または電子マネーで支払う額を変更する変更ステップをさらに含む処理をコンピュータに行わせることもできる。
【手続補正１０】
【補正対象書類名】明細書
【補正対象項目名】００１５
【補正方法】変更
【補正の内容】
【００１５】
前記第１の表示ステップで、前記おつりとして支払う前記電子マネーを前記端末に入金した場合に取得できる電子マネーに関する広告を表示させることができる。
【手続補正１１】
【補正対象書類名】明細書
【補正対象項目名】００１６
【補正方法】変更
【補正の内容】
【００１６】
前記第１の取得ステップにおいておつりの現金での受け取りが前記利用者から指示された場合、前記おつりの支払いに必要な紙幣または硬貨の枚数が予め定めた閾値以上であるか否かを判定する判定ステップと、前記おつりの支払いに必要な紙幣または硬貨の枚数が前記閾値以上であると判定された場合、前記電子マネーでの支払いを選択する選択ステップとをさらに含み、前記電子マネーでの支払いが選択された場合、前記入金ステップで、前記おつりとして支払う前記電子マネーが前記端末に入金される処理をコンピュータに行わせることもできる。
【手続補正１２】
【補正対象書類名】明細書
【補正対象項目名】００１８
【補正方法】変更
【補正の内容】
【００１８】
前記第１の取得ステップにおいておつりの現金での受け取りが前記利用者から指示された場合、現在時刻が予め定めた時間帯に入るか否かを判定する判定ステップと、現在時刻が前記時間帯に入ると判定された場合、前記電子マネーでの支払いを選択する選択ステップとをさらに含み、前記電子マネーでの支払いが選択された場合、前記入金ステップで、前記おつりとして支払う前記電子マネーが前記端末に入金される処理をコンピュータに行わせることもできる。
前記第１の表示ステップで、おつりとして支払う額面毎の紙幣または硬貨の枚数を表示させることもできる。
【手続補正１３】
【補正対象書類名】明細書
【補正対象項目名】００１９
【補正方法】変更
【補正の内容】
【００１９】
本発明の一側面の機器は、支払いを受けて、商品を販売するかまたはサービスを提供して、おつりを支払う機器であって、現金または電子マネーで支払うおつりの額の表示手段への表示を制御する表示制御手段と、前記表示手段におつりの額が表示されている場合、おつりを電子マネーで受け取るかまたはおつりを現金で受け取るかのいずれかの利用者の指示を取得する取得手段と、前記取得手段によりおつりの電子マネーでの受け取りの指示が取得された場合、前記おつりとして支払う前記電子マネーを電子マネー機能を有する端末に入金する入金手段とを備える。
【手続補正１４】
【補正対象書類名】明細書
【補正対象項目名】００２０
【補正方法】変更
【補正の内容】
【００２０】
本発明の一側面の制御方法は、支払いを受けて、商品を販売するかまたはサービスを提供して、おつりを支払う機器を制御する制御方法であって、現金または電子マネーで支払うおつりの額を表示する表示ステップと、前記表示ステップにおいておつりの額が表示されている場合、おつりを電子マネーで受け取るかまたはおつりを現金で受け取るかのいずれかの利用者の指示を取得する取得ステップと、前記取得ステップにおいておつりの電子マネーでの受け取りの指示が取得された場合、前記おつりとして支払う前記電子マネーを電子マネー機能を有する端末に入金する入金ステップとを含む。
【手続補正１５】
【補正対象書類名】明細書
【補正対象項目名】００２１
【補正方法】変更
【補正の内容】
【００２１】
本発明の一側面においては、現金または電子マネーで支払うおつりの額が表示され、おつりの額が表示されている場合、おつりを電子マネーで受け取るかまたはおつりを現金で受け取るかのいずれかの利用者の指示が取得され、おつりの電子マネーでの受け取りの指示が取得された場合、おつりとして支払う電子マネーが電子マネー機能を有する端末に入金される。
【手続補正１６】
【補正対象書類名】明細書
【補正対象項目名】００２２
【補正方法】変更
【補正の内容】
【００２２】
以上のように、本発明の一側面によれば、利用者が、電子マネーまたは現金でのおつりの支払いを選択することができる。
【手続補正１７】
【補正対象書類名】明細書
【補正対象項目名】００２５
【補正方法】変更
【補正の内容】
【００２５】
本発明の一側面のプログラムは、支払いを受けて、商品を販売するかまたはサービスを提供して、おつりを支払う機器を制御するコンピュータに、現金または電子マネーで支払うおつりの額を表示する第１の表示ステップ（例えば、図４のステップＳ１５の手続き）と、前記第１の表示ステップにおいておつりの額が表示されている場合、おつりを電子マネーで受け取るかまたはおつりを現金で受け取るかのいずれかの利用者の指示を取得する第１の取得ステップ（例えば、図４のステップＳ１６の手続き）と、前記第１の取得ステップにおいておつりの電子マネーでの受け取りの指示が取得された場合、前記おつりとして支払う前記電子マネーを電子マネー機能を有する端末に入金する入金ステップ（例えば、図４のステップＳ１７乃至ステップＳ１９の手続き）とを含む処理を行わせる。
【手続補正１８】
【補正対象書類名】明細書
【補正対象項目名】００２６
【補正方法】変更
【補正の内容】
【００２６】
前記第１の取得ステップにおいておつりの現金での受け取りの指示が取得された場合、前記おつりとして支払う現金を排出させる排出ステップ（例えば、図４のステップＳ２２の手続き）をさらに含む処理をコンピュータに行わせることもできる。
【手続補正１９】
【補正対象書類名】明細書
【補正対象項目名】００２７
【補正方法】変更
【補正の内容】
【００２７】
前記第１の取得ステップにおいておつりの現金での受け取りの指示が取得された場合、おつりとして支払う額面毎の紙幣または硬貨の枚数を表示する第２の表示ステップ（例えば、図６のステップＳ４３の手続き）と、前記第２の表示ステップにおいておつりとして支払う額面毎の紙幣または硬貨の枚数が表示されている場合、おつりを電子マネーで受け取るかまたはおつりを現金で受け取るかのいずれかの利用者の指示を取得する第２の取得ステップ（例えば、図６のステップＳ４４の手続き）とをさらに含み、前記第２の取得ステップにおいておつりの電子マネーでの受け取りの指示が取得された場合、前記入金ステップで、前記おつりとして支払う前記電子マネーが前記端末に入金される処理をコンピュータに行わせることもできる。
【手続補正２０】
【補正対象書類名】明細書
【補正対象項目名】００２８
【補正方法】変更
【補正の内容】
【００２８】
前記第１の取得ステップにおいておつりの現金での受け取りの指示が取得された場合、おつりとして支払う額面毎の紙幣または硬貨の枚数を表示する第２の表示ステップ（例えば、図１３のステップＳ１８３の手続き）と、前記第２の表示ステップにおいておつりとして支払う額面毎の紙幣または硬貨の枚数が表示されている場合、おつりを電子マネーで受け取るかまたはおつりを現金で受け取るかのいずれかの利用者の指示を取得する第２の取得ステップ（例えば、図１３のステップＳ１８４の手続き）と、前記第２の取得ステップにおいておつりの電子マネーでの受け取りの指示が取得された場合、現金で支払う額と電子マネーで支払う額とを表示する第３の表示ステップ（例えば、図１３のステップＳ１８６の手続き）と、前記第３の表示ステップにおいて現金で支払う額と電子マネーで支払う額とが表示されている場合、おつりを電子マネーで受け取るかまたはおつりを現金および電子マネーで受け取るかのいずれかの利用者の指示を取得する第３の取得ステップ（例えば、図１３のステップＳ１８７の手続き）とをさらに含み、前記入金ステップで、前記第３の取得ステップにおいておつりの電子マネーでの受け取りの指示が取得された場合、前記おつりとして支払う前記電子マネーが前記端末に入金され、おつりの現金および電子マネーでの受け取りの指示が取得された場合、電子マネーで支払う額の前記電子マネーが前記端末に入金される処理をコンピュータに行わせることもできる。
前記第３の取得ステップで、おつりを電子マネーで受け取るか、おつりを現金および電子マネーで受け取るか、または現金で支払う額若しくは電子マネーで支払う額を変更するかのいずれかの利用者の指示を取得し、前記第３の取得ステップにおいて現金で支払う額または電子マネーで支払う額の変更の指示が取得された場合、現金で支払う額または電子マネーで支払う額を変更する変更ステップ（例えば、図１３のステップＳ１８９の手続き）をさらに含む処理をコンピュータに行わせることもできる。
【手続補正２１】
【補正対象書類名】明細書
【補正対象項目名】００２９
【補正方法】変更
【補正の内容】
【００２９】
前記第１の取得ステップにおいておつりの現金での受け取りが前記利用者から指示された場合、前記おつりの支払いに必要な紙幣または硬貨の枚数が予め定めた閾値以上であるか否かを判定する判定ステップ（例えば、図９のステップＳ８３の手続き）と、前記おつりの支払いに必要な紙幣または硬貨の枚数が前記閾値以上であると判定された場合、前記電子マネーでの支払いを選択する選択ステップ（例えば、図９のステップＳ８８の手続き）とをさらに含み、前記電子マネーでの支払いが選択された場合、前記入金ステップで、前記おつりとして支払う前記電子マネーが前記端末に入金される処理をコンピュータに行わせることもできる。
【手続補正２２】
【補正対象書類名】明細書
【補正対象項目名】００３１
【補正方法】変更
【補正の内容】
【００３１】
前記第１の取得ステップにおいておつりの現金での受け取りが前記利用者から指示された場合、現在時刻が予め定めた時間帯に入るか否かを判定する判定ステップ（例えば、図１０のステップＳ１０１の手続き）と、現在時刻が前記時間帯に入ると判定された場合、前記電子マネーでの支払いを選択する選択ステップ（例えば、図１０のステップＳ１０９の手続き）とをさらに含み、前記電子マネーでの支払いが選択された場合、前記入金ステップで、前記おつりとして支払う前記電子マネーが前記端末に入金される処理をコンピュータに行わせることもできる。
【手続補正２３】
【補正対象書類名】明細書
【補正対象項目名】００３２
【補正方法】変更
【補正の内容】
【００３２】
本発明の一側面の機器は、支払いを受けて、商品を販売するかまたはサービスを提供して、おつりを支払う機器であって、現金または電子マネーで支払うおつりの額の表示手段への表示を制御する表示制御手段（例えば、図３の表示制御機能８４）と、前記表示手段におつりの額が表示されている場合、おつりを電子マネーで受け取るかまたはおつりを現金で受け取るかのいずれかの利用者の指示を取得する取得手段（例えば、図３の指示取得機能８８）と、前記取得手段によりおつりの電子マネーでの受け取りの指示が取得された場合、前記おつりとして支払う前記電子マネーを電子マネー機能を有する端末に入金する入金手段（例えば、図３のリーダライタ制御機能８５）とを備える。
【手続補正２４】
【補正対象書類名】明細書
【補正対象項目名】００３３
【補正方法】変更
【補正の内容】
【００３３】
本発明の一側面の制御方法は、支払いを受けて、商品を販売するかまたはサービスを提供して、おつりを支払う機器を制御する制御方法であって、現金または電子マネーで支払うおつりの額を表示する表示ステップ（例えば、図４のステップＳ１５の手続き）と、前記表示ステップにおいておつりの額が表示されている場合、おつりを電子マネーで受け取るかまたはおつりを現金で受け取るかのいずれかの利用者の指示を取得する取得ステップ（例えば、図４のステップＳ１６の手続き）と、前記取得ステップにおいておつりの電子マネーでの受け取りの指示が取得された場合、前記おつりとして支払う前記電子マネーを電子マネー機能を有する端末に入金する入金ステップ（例えば、図４のステップＳ１７乃至ステップＳ１９の手続き）とを含む。